(57)【要約】      （修正有）【課題】ユーザーの身長に応じて取り付け高さを変更することが可能な折り畳み式ハンガーを提供する。【解決手段】ハンガー１００は、上下方向に延びるハンガー本体１１０と、ハンガー本体の上端に取り付けられたフック１２０と、ハンガー本体に対して上下方向にスライド可能であるスライド部材１３０と、スライド部材に対して鉛直面内において回動可能であるように上端がスライド部材の上端に取り付けられている回動部材１４０と、スライド部材の外周面上に上下方向に延びるスライドレール１５０と、一端が回動部材に対して回動可能に取り付けられ、他端がスライドレールに沿って上下方向にスライドする棒状部材１６０と、スライド部材を予め定められた位置においてハンガー本体に対して解除可能に固定するストッパーと、からなる。【選択図】図１
0003158165.tif 000002
【実用新案登録請求の範囲】
【請求項１】
高さ調節機能を有するハンガーであって、
上下方向に延びるハンガー本体と、
前記ハンガー本体の上端に取り付けられたフックと、
前記フックが取り付けられた側と反対側において前記ハンガー本体に対して上下方向にスライド可能であるように前記ハンガー本体の外周側に取り付けられているスライド部材と、
前記スライド部材に対して鉛直面内において回動可能であるように前記スライド部材に取り付けられている回動部材と、
前記スライド部材を予め定められた位置において前記ハンガー本体に対して解除可能に固定するストッパーと、
からなるハンガー。
【請求項２】
高さ調節機能を有するハンガーであって、
上下方向に延びるハンガー本体と、
前記ハンガー本体の上端に取り付けられたフックと、
前記フックが取り付けられた側と反対側において前記ハンガー本体に対して上下方向にスライド可能であるように前記ハンガー本体の外周側に取り付けられているスライド部材と、
前記スライド部材に対して鉛直面内において回動可能であるように上端が前記スライド部材の上端に取り付けられている回動部材と、
前記スライド部材の外周面に設けられ、上下方向に延びるスライドレールと、
一端が前記回動部材に対して回動可能に取り付けられ、他端が前記スライドレールに沿って上下方向にスライドする棒状部材と、
前記スライド部材を予め定められた位置において前記ハンガー本体に対して解除可能に固定するストッパーと、
からなるハンガー。
【請求項３】
前記ストッパーは、
前記ハンガー本体に形成された開口部と、
前記スライド部材に形成され、前記開口部に嵌め込み可能な形状を有する係合部材と、
からなり、
前記係合部材は前記ハンガー本体とは干渉しない方向に撓むことが可能な材質からなり、前記係合部材を撓ませることにより、前記スライド部材は前記ハンガー本体に対してスライド可能となり、前記係合部材の撓みを解除することにより、前記係合部材は前記開口部に嵌め込まれるものであることを特徴とする請求項１または２に記載のハンガー。
【考案の詳細な説明】
【技術分野】
【０００１】
本考案はハンガー、特に、折り畳み式のハンガーに関する。
【背景技術】
【０００２】
これまでに種々の折り畳み式ハンガーが提案されている（例えば、実開平２−４０８６０号公報、特開２００５−４６５８６号公報、特許第３６８４９６０号公報）。
【０００３】
これらの折り畳み式ハンガーは、いずれも、ドアや壁に取り外し自在に取り付けられる本体と、鉛直面内において本体に対して回動可能であるように本体の一端（多くの場合、下端）に一端が取り付けられている回動部と、から構成されている。
【０００４】
回動部は、本体と重なり合う第一位置と、本体に対して所定の角度（例えば、９０度）をなす第二位置との間を回動する。
【０００５】
ハンガーを使用しないときには、回動部を第一位置に位置させ、省スペースを図り、ハンガーを使用するときには、回動部を第二位置に回動させ、回動部に目的物（例えば、洗濯物）を吊り下げる。
【考案の開示】
【考案が解決しようとする課題】
【０００６】
上記の折り畳み式ハンガーの本体には上端に逆Ｊ型のフックが取り付けられており、このフックをドアの上縁に引っ掛けることによって、ハンガーをドアに対して取り付けるようになっている。
【０００７】
このため、ユーザーから見ると、折り畳み式ハンガーの取り付け高さ（地面からの高さ）は常に一定である。この点に起因して、従来の折り畳み式ハンガーには以下のような欠点があった。
【０００８】
一部のユーザーに対しては、折り畳み式ハンガーの取り付け高さが適切である場合もある。しかしながら、ユーザーの身長は様々であるので、折り畳み式ハンガーの取り付け高さが高すぎる場合もあれば、低すぎる場合もあり、全てのユーザーが適切な高さで折り畳み式ハンガーを使用できる訳ではない。
【０００９】
本考案はこのような従来の折り畳み式ハンガーにおける問題点に鑑みてなされたものであり、ユーザーの身長に応じて取り付け高さを変更することが可能な折り畳み式ハンガーを提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１１】
上記の目的を達成するため、本考案は、高さ調節機能を有するハンガー（１００）であって、上下方向に延びるハンガー本体（１１０）と、前記ハンガー本体（１１０）の上端に取り付けられたフック（１２０）と、前記フック（１２０）が取り付けられた側と反対側において前記ハンガー本体（１１０）に対して上下方向にスライド可能であるように前記ハンガー本体（１１０）の外周側に取り付けられているスライド部材（１３０）と、前記スライド部材（１３０）に対して鉛直面内において回動可能であるように前記スライド部材（１３０）に取り付けられている回動部材と、前記スライド部材（１３０）を予め定められた位置において前記ハンガー本体（１１０）に対して解除可能に固定するストッパー（１７０）と、からなるハンガー（１００）を提供する。
【００１２】
さらに、本発明は、高さ調節機能を有するハンガー（１００）であって、上下方向に延びるハンガー本体（１１０）と、前記ハンガー本体（１１０）の上端に取り付けられたフック（１２０）と、前記フック（１２０）が取り付けられた側と反対側において前記ハンガー本体（１１０）に対して上下方向にスライド可能であるように前記ハンガー本体（１１０）の外周側に取り付けられているスライド部材（１３０）と、前記スライド部材（１３０）に対して鉛直面内において回動可能であるように上端が前記スライド部材（１３０）の上端に取り付けられている回動部材（１４０）と、前記スライド部材（１３０）の外周面に設けられ、上下方向に延びるスライドレール（１５０）と、一端が前記回動部材（１４０）に対して回動可能に取り付けられ、他端が前記スライドレール（１５０）に沿って上下方向にスライドする棒状部材（１６０）と、前記スライド部材（１３０）を予め定められた位置において前記ハンガー本体（１１０）に対して解除可能に固定するストッパー（１７０）と、からなるハンガー（１００）を提供する。
【００１３】
前記ストッパー（１７０）は、前記ハンガー本体（１１０）に形成された開口部（１１２）と、前記スライド部材（１３０）に形成され、前記開口部（１１２）に嵌め込み可能な形状を有する係合部材（１８０）と、からなり、前記係合部材（１８０）は前記ハンガー本体（１１０）とは干渉しない方向に撓むことが可能な材質からなり、前記係合部材（１８０）を撓ませることにより、前記スライド部材（１３０）は前記ハンガー本体（１１０）に対してスライド可能となり、前記係合部材（１８０）の撓みを解除することにより、前記係合部材（１８０）は前記開口部（１１２）に嵌め込まれるものであることが好ましい。
【００１４】
前記フック（２２０）は前記ハンガー本体（１１０）に対して上下方向にスライド可能に取り付けられており、前記フック（２２０）を任意の位置において前記ハンガー本体（１１０）に対して解除可能に固定する固定部材をさらに備えることが好ましい。
【００１５】
例えば、前記フック（２２０）は上下方向に延びる固定用領域（２２１）を備えており、前記ハンガー本体（１１０）には雌ネジ穴が形成されており、前記固定用領域（２２１）には上下方向に延びる長穴（２２２）が形成されており、前記固定部材は前記長穴（２２２）を介して前記雌ネジ穴に螺合する雄ネジ（２３０）であるものとすることができる。
【考案の効果】
【００１６】
本考案に係る折り畳み式ハンガーにおいては、スライド部材がハンガー本体に対して上下方向にスライド可能であるように構成されている。このため、スライド部材をハンガー本体に対してスライドさせ、スライド部材の位置、ひいては、ハンガーを吊り下げる棒状部材または回動部材の位置を所望の高さに設定することが可能である。このように、本考案に係る折り畳み式ハンガーによれば、ユーザーの身長に応じて折り畳み式ハンガーの取り付け高さを所望の高さに変更することが可能である。
【図面の簡単な説明】
【００１７】
【図１】本考案の第一の実施形態に係る折り畳み式ハンガーの斜視図である。
【図２】図１とは反対側の方向から見た場合のハンガー本体及びフックの斜視図である。
【図３】図１とは反対側の方向から見た場合のスライド部材の平面図である。
【図４】スライドレールの縦断面図である。
【図５】図５（Ａ）はストッパーを構成する係合部材の構造を示す平面図、図５（Ｂ）は図５（Ａ）の５Ｂ−５Ｂ線における断面図である。
【図６】本発明の第二の実施形態に係る折り畳み式ハンガーの部分的な斜視図である。
【考案を実施するための最良の形態】
【００１８】
（第一の実施形態）
図１は、本考案の第一の実施形態に係る折り畳み式ハンガー１００の斜視図である。
【００１９】
本実施形態に係る折り畳み式ハンガー１００は、上下方向Ｘに延びるハンガー本体１１０と、ハンガー本体１１０の上端に取り付けられたフック１２０と、ハンガー本体１１０に対して上下方向Ｘにスライド可能であるようにハンガー本体１１０の外周側に取り付けられているスライド部材１３０と、スライド部材１３０に対して鉛直面内において回動可能であるように上端がスライド部材１３０の上端に取り付けられている回動部材１４０と、スライド部材１３０の外周面に設けられ、上下方向Ｘに延びるスライドレール１５０と、一端が回動部材１４０に対して回動可能に取り付けられ、他端がスライドレール１５０に沿って上下方向にスライドする棒状部材１６０と、スライド部材１３０を予め定められた位置においてハンガー本体１１０に対して解除可能に固定するストッパー１７０（図５参照）と、から構成されている。
【００２０】
図２は、図１とは反対側の方向から見た場合のハンガー本体１１０及びフック１２０の斜視図である。
【００２１】
フック１２０はハンガー本体１１０に対してＬ字型に突出しており、フック１２０を、例えば、ドアの上縁に引っ掛けることにより、折り畳み式ハンガー１００をドアに対して着脱自在に取り付けることができる。
【００２２】
ハンガー本体１１０は全体として立方体形状をなしており、その長さ方向に延びる凹部１１１が形成されている。
【００２３】
凹部１１１の底面１１１Ａには開口部１１２が形成されている。開口部１１２は、ハンガー本体１１０の長さ方向に延びる一定幅の長円形の第一開口部１１２Ａと、第一開口部１１２Ａの幅よりも大きな幅を有する矩形状の第二開口部１１２Ｂと、から構成されている。第二開口部１１２Ｂは等間隔に複数個が形成されている。
【００２４】
ハンガー本体１１０の両側面１１３には、ハンガー本体１１０の長さ方向に延びる断面が半円形状の溝１１４が形成されている。
【００２５】
図３は、図１とは反対側の方向から見た場合のスライド部材１３０の平面図である。
【００２６】
スライド部材１３０は、ハンガー本体１１０の外周側においてハンガー本体１１０に密着し得る形状を有している。スライド部材１３０は、フック１２０が取り付けられた側と反対側において、ハンガー本体１１０に対して取り付けられている。
【００２７】
スライド部材１３０の内壁には、ハンガー本体１１０に形成された溝１１４に嵌合可能な断面が半円形状の凸部１３５（図３参照）が形成されており、この凸部１３５が溝１１４に嵌合することにより、スライド部材１３０はハンガー本体１１０に対してスライドを行う。
【００２８】
図４はスライドレール１５０の縦断面図である。
【００２９】
スライドレール１５０は、断面が逆Ｌ字型の第一部材１５１と、第一部材１５１と間隔を空けて配置されている板状の第二部材１５２と、からなる。
【００３０】
第一部材１５１は、図１に示すように、スライド部材１３０の長さ方向に延びている。第二部材１５２も第一部材１５１と平行にスライド部材１３０の長さ方向に延びている。さらに、図３及び図４に示すように、第一部材１５１の下方の領域には開口部１５３が形成されている。後述するように、第一部材１５１と第二部材１５２とにより囲まれるスペースに棒状部材１６０の一端がスライド自在に挟み込まれる。
【００３１】
回動部材１４０は、その上端において、回転軸１４１を介して、回動自在にスライド部材１３０に取り付けられている。回動部材１４０は、スライド部材１３０と重なり合う第一位置と、スライド部材１３０に対して角度（例えば、約４５度）をなす第二位置（図１に示す位置）との間をスライド部材１３０に対して回動する。
【００３２】
棒状部材１６０は、その一端が回動部材１４０の内壁に回動自在に取り付けられており、さらに、その他端は、図４に示すように、スライドレール１５０にスライド自在に係合している。
【００３３】
回動部材１４０が第一位置にある場合には、棒状部材１６０の他端はスライドレール１５０の上端付近に位置しており、回動部材１４０が第一位置から第二位置に移行していく段階（すなわち、回動部材１４０が回動を行う段階）においては、棒状部材１６０の他端はスライドレール１５０の上端から下端に向かってスライドする。
【００３４】
棒状部材１６０には、ハンガーを止めるための複数個のピン１６１が等間隔に取り付けられている。各ピン１６１は上下方向に直立している。
【００３５】
図５（Ａ）はストッパー１７０を構成する係合部材１８０の構造を示す平面図、図５（Ｂ）は図５（Ａ）の５Ｂ−５Ｂ線における断面図である。
【００３６】
スライド部材１３０の外壁には半長円形の開口部１７１が形成されている。
【００３７】
図５（Ａ）及び図５（Ｂ）に示すように、係合部材１８０は、第一係合部分１８１と、第二係合部分１８２と、第三係合部分１８３と、から構成されている。
【００３８】
第一係合部分１８１は矩形状の板部材からなり、スライド部材１３０の外周面１３１上に形成されている。
【００３９】
第二係合部分１８２は第一係合部分１８１と連続して一体的に形成されており（従って、第二係合部分１８２もスライド部材１３０の外周面１３１上に位置している）、第二係合部分１８２は第一係合部分１８１よりも大きな幅（図５（Ａ）の上下方向における長さ）を有している。第一係合部分１８１と第二係合部分１８２とは全体的にはＴ字型をなしている。
【００４０】
第三係合部分１８３は半長円形状をなしており、第一係合部分１８１と同一の幅を有しており、第二係合部分１８２に隣接して配置されている。
【００４１】
図５（Ａ）に示すように、係合部材１８０は全体として開口部１７１の内部に収納可能な大きさを有している。
【００４２】
図５（Ｂ）に示すように、第一係合部分１８１及び第二係合部分１８２はスライド部材１３０の外周面１３１上に形成されている。具体的には、第一係合部分１８１及び第二係合部分１８２の底面はスライド部材１３０の外周面１３１に接している。
【００４３】
これに対して、第三係合部分１８３は第二係合部分１８２の下方に配置されている。すなわち、第三係合部分１８３の上面は第二係合部分１８２の底面に接している。さらに、第三係合部分１８３はスライド部材１３０の外壁と同一の幅Ｔを有しており、スライド部材１３０の外壁と同一高さ（図５（Ｂ）の上下方向における高さ）に位置している。
【００４４】
係合部材１８０は軟質樹脂その他の弾性材料でつくられており、上方から押すことによって、下方（矢印Ｓの方向）に撓ませることが可能である。
【００４５】
第一係合部分１８１は、ハンガー本体１１０に形成されている開口部１１２（図２参照）の第一開口部１１２Ａと同一の幅を有している。このため、第一係合部分１８１は第一開口部１１２Ａに嵌合可能である。
【００４６】
また、第二係合部分１８２は開口部１１２の第二開口部１１２Ｂと同一の長さ（ハンガー本体１１０の長さ方向における長さ）及び幅（ハンガー本体１１０の長さ方向と直交する方向における長さ）を有しており、このため、第二係合部分１８２は第二開口部１１２Ｂに嵌合可能である。
【００４７】
すなわち、係合部材１８０は全体として開口部１１２に嵌め込み可能な形状を有している。
【００４８】
係合部材１８０とハンガー本体１１０に形成されている開口部１１２とがストッパー１７０を形成している。
【００４９】
図５（Ｃ）及び図５（Ｄ）は係合部材１８０が開口部１１２に嵌め込まれる状況を示す断面図である。
【００５０】
図５（Ｃ）に示すように、まず、スライド部材１３０をハンガー本体１１０に対してＲ方向（具体的には、上方向）にスライドさせる。
【００５１】
次いで、ハンガー本体１１０が係合部材１８０の位置に到達する前に、例えば、指で押すことによって、図５（Ｃ）に示すように、第一係合部分１８１及び第二係合部分１８２を下方に撓ませる。具体的には、第二係合部分１８２がスライド部材１３０の外周面１３１よりも下方に位置するように、第一係合部分１８１及び第二係合部分１８２を撓ませる。
【００５２】
第二係合部分１８２がスライド部材１３０の外周面１３１よりも下方に位置した状態においては、ハンガー本体１１０は、第二係合部分１８２に妨害されることなく、Ｒ方向にスライドすることができる。
【００５３】
第二開口部１１２Ｂが第二係合部分１８２の上方に到達する以前の段階においては、第二係合部分１８２がハンガー本体１１０の上面１１５に接しているため、係合部材１８０は全体として下方に撓んだままの状態に維持される。
【００５４】
第二開口部１１２Ｂが第二係合部分１８２の上方に到達すると、第二係合部分１８２は、その反発力によって、上方に跳ね上がる（すなわち、元の状態に戻る）。このため、第二係合部分１８２が第二開口部１１２Ｂに嵌合する。すなわち、この時点において、ハンガー本体１１０に対するスライド部材１３０のスライドは停止し、スライド部材１３０はその位置においてハンガー本体１１０に対して固定される。
【００５５】
第二係合部分１８２が第二開口部１１２Ｂに嵌合した状態において第二係合部分１８２を下方に撓ませることによって、第二開口部１１２Ｂに対する第二係合部分１８２の嵌合が解除される。すなわち、スライド部材１３０はハンガー本体１１０に対して再びスライド可能な状態になり、所望の方向（上または下）にスライド部材１３０をスライドさせることが可能になる。
【００５６】
以上のように、ストッパー１７０は、スライド部材１３０を予め定められた位置（具体的には、第二開口部１１２Ｂが形成されている位置）においてハンガー本体１１０に対して解除可能に固定する機能を有している。
【００５７】
以上のような構造を有する本実施形態に係る折り畳み式ハンガー１００は以下のようにして使用される。
【００５８】
まず、フック１２０を、例えば、ドアや壁の上縁に引っ掛けることにより、折り畳み式ハンガー１００をドアや壁に取り付ける。この状態においては、折り畳み式ハンガー１００は上下方向に延びている状態にある。なお、回動部材１４０は第一位置（スライド部材１３０と重なり合っている位置）にあるものとする。
【００５９】
次いで、ハンガー本体１１０の裏側から係合部材１８０をスライド部材１３０に向かって押すことにより、第一係合部分１８１及び第二係合部分１８２を撓ませる。
【００６０】
この後、スライド部材１３０をハンガー本体１１０に対して下方にスライドさせる。この状態においては、係合部材１８０の第二係合部分１８２がハンガー本体１１０の上面１１５に接しているため、第一係合部分１８１及び第二係合部分１８２を撓んだままの状態に維持されている。
【００６１】
スライド部材１３０を所望の高さ付近まで下げた後、その高さ近辺において、第二係合部分１８２を第二開口部１１２Ｂに係合させる。第二係合部分１８２の第二開口部１１２Ｂへの係合は、スライド部材１３０をハンガー本体１１０に対して下方にスライドさせ、第二係合部分１８２が第二開口部１１２Ｂと重なり合う位置に到達したときに、第二係合部分１８２がその反発力によって元の状態に戻ることにより、自動的に行われる。
【００６２】
このようにして、スライド部材１３０は所望の高さまで引き下げられる。
【００６３】
次いで、第一位置にある回動部材１４０を第二位置まで回動させる。回動部材１４０の回動に伴い、棒状部材１６０はスライドレール１５０に沿って下端まで移行する。
【００６４】
棒状部材１６０がスライドレール１５０の下端まで移行した後、棒状部材１６０の各ピン１６１にハンガーその他の対象物を吊り下げることが可能になる。
【００６５】
本実施形態に係る折り畳み式ハンガー１００を折り畳む場合には、上述の動作と逆の動作を行う。具体的には、以下の通りである。
【００６６】
まず、回動部材１４０をその第二位置から第一位置まで回動させる。なお、回動部材１４０の第二位置から第一位置までの回動に際しては、棒状部材１６０がスライドレール１５０の途中で引っ掛かるおそれがあるので、そのような場合には、指で棒状部材１６０を上方に押し上げながら、回動部材１４０を回動させることが好ましい。
【００６７】
回動部材１４０を第一位置まで回動させた後、係合部材１８０を撓ませ、スライド部材１３０をハンガー本体１１０に対してスライド可能な状態にする。
【００６８】
次いで、スライド部材１３０をハンガー本体１１０の上端までスライドさせる。この際、係合部材１８０の第二係合部分１８２がその反発力によって元の状態に戻ることにより開口部１１２の第二係合部分１８２に嵌め込まれる。これにより、スライド部材１３０はハンガー本体１１０に対して固定された状態になる。
【００６９】
以上のように、本実施形態に係る折り畳み式ハンガー１００においては、スライド部材１３０がハンガー本体１１０に対して上下方向にスライド可能であるように構成されている。このため、スライド部材１３０をハンガー本体１１０に対してスライドさせ、スライド部材１３０の位置、ひいては、ハンガーを吊り下げる棒状部材１６０の位置を所望の高さに設定することが可能である。すなわち、本実施形態に係る折り畳み式ハンガー１００によれば、ユーザーの身長に応じて折り畳み式ハンガー１００の取り付け高さを所望の高さに変更することが可能である。
【００７０】
なお、本実施形態に係る折り畳み式ハンガー１００は上記の構造に限定されるものではなく、種々の改変が可能である。
【００７１】
本実施形態に係る折り畳み式ハンガー１００においては、回動部材１４０はその上端においてスライド部材１３０に対して回動可能であるように形成されているが、従来の折り畳み式ハンガーと同様に、回動部材１４０をその下端においてスライド部材１３０に対して回動可能であるように形成することも可能である。この場合には、本実施形態に係る折り畳み式ハンガー１００とは異なり、スライドレール１５０及び棒状部材１６０を形成する必要はなくなり、回動部材１４０に対して直接的にハンガーその他の対象物を吊り下げることになる。
【００７２】
また、本実施形態に係る折り畳み式ハンガー１００においては、ストッパー１７０は、ハンガー本体１１０に形成された開口部１１２と、スライド部材１３０に形成された係合部材１８０とからなるものとして構成されているが、ストッパー１７０の構造はこれには限定されない。
【００７３】
スライド部材１３０をハンガー本体１１０に対して任意の位置に解除可能に固定することができる機構である限りにおいて、いかなる機構をも採用することが可能である。
【００７４】
（第二の実施形態）
図６は、本発明の第二の実施形態に係る折り畳み式ハンガー２００の部分的な斜視図である。
【００７５】
本実施形態に係る折り畳み式ハンガー２００は、第一の実施形態に係る折り畳み式ハンガー１００と比較して、フックの構造のみが異なっており、フック以外の構造は同一である。このため、第一の実施形態に係る折り畳み式ハンガー１００における構成要素と同一の構成要素に対しては同一の参照符号を用いる。
【００７６】
第一の実施形態に係る折り畳み式ハンガー１００におけるフック１２０はハンガー本体１１０に対して固定されていたのに対して、本実施形態に係る折り畳み式ハンガー２００におけるフック２２０はハンガー本体１１０に対して上下方向にスライド可能に取り付けられている。
【００７７】
図６に示すように、フック２２０は上下方向に延びる板状の固定用領域２２１を備えており、固定用領域２２１には上下方向に延びる長穴２２２が形成されている。
【００７８】
ハンガー本体１１０には雌ネジ穴（図示せず）が形成されている。
【００７９】
フック２２０は雄ネジ部材２３０を長穴２２２を介してハンガー本体１１０の雌ネジ穴に螺合させることにより、ハンガー本体１１０に対して固定される。
【００８０】
ハンガー本体１１０に対するフック２２０の高さは、雄ネジ部材２３０をゆるめ、フック２２０を所望の位置にスライドさせた後、再度雄ネジ部材２３０を雌ネジ穴に螺合させることにより、変更することができる。
【００８１】
このように、本実施形態に係る折り畳み式ハンガー２００によれば、スライド部材１３０をハンガー本体１１０に対してスライドさせることにより、折り畳み式ハンガー２００の取り付け高さを変えることができることに加えて、フック２２０をハンガー本体１１０に対してスライドさせることによっても、折り畳み式ハンガー２００の取り付け高さを変えることが可能になる。
【符号の説明】
【００８２】
１００  本考案の第一の実施形態に係る折り畳み式ハンガー
１１０  ハンガー本体
１１１  凹部
１１２  開口部
１１３  側面
１１４  溝
１２０  フック
１３０  スライド部材
１３５  凸部
１４０  回動部材
１５０  スライドレール
１５１  第一部材
１５２  第二部材
１５３  開口部
１６０  棒状部材
１６１  ピン
１７０  ストッパー
１８０  係合部材
１８１  第一係合部分
１８２  第二係合部分
１８３  第三係合部分
２００  本考案の第二の実施形態に係る折り畳み式ハンガー
２２０  フック
２２１  固定用領域
２２２  長穴
２３０  雄ネジ部材
【図１】
0003158165.tif 000003
【図２】
0003158165.tif 000004
【図３】
0003158165.tif 000005
【図４】
0003158165.tif 000006
【図５】
0003158165.tif 000007
【図６】
0003158165.tif 000008